(57)【要約】【課題】冷凍室外機の排熱による温風と建物の外壁と冷凍庫の壁との間で温めた外気を適宜切替え可能に、床下砕石層内に配設した床下送風配管に送り、この温風を床下砕石層の砕石同士の隙間に流すことで、凍上防止を確実に行うことができ、また、換気と結露防止も同時に行うことができ、しかも、施工費やランニングコストも低廉ですみ、メンテナンスも容易なものである。【解決手段】穴明き管による床下送風配管２５を床下砕石層１９内に配設し、この送風配管に、冷凍室外機１６の排熱による温風と、外気を建物１１の外壁２９・屋根２８と冷凍庫１２の壁との間の空間に取り入れて流した空気とを切り替え可能に送り込む。【選択図】　　　　図１
2004069098.tif 000002
【特許請求の範囲】
【請求項１】
穴明き管による床下送風配管を床下砕石層内に配設し、この送風配管に、冷凍室外機の排熱による温風と、外気を取り入れて建物の外壁・屋根と冷凍庫等の壁との間の空間に流した空気とを切り替え可能に送り込むことを特徴とする床下凍上防止方法。
【請求項２】
床下送風配管への送気管にファンを設け、該ファンの上流側に切替えダンパーを設けた請求項１記載の床下凍上防止方法。
【請求項３】
穴明き管による床下送風配管を設ける床下層は既存土間上部に設け、その上に断熱層を形成し、さらにその上に、土間コンクリートを打設する請求項１または請求項２記載の床下凍上防止方法。
【発明の詳細な説明】
【０００１】
【発明の属する技術分野】
本発明は、冷凍庫における排熱利用による床下凍上防止方法に関するものである。
【０００２】
【従来の技術】
冷凍食品・アイスクリームを取り扱うための物流センターとして、既存躯体を利用して内部に冷凍庫・冷蔵庫を建設する場合、零下で使用する冷凍庫の土間下土壌部分の凍結防止（以下凍上防止）が必要となる。
【０００３】
従来、冷凍冷蔵庫の床下の凍上防止を行う構造としては、断熱材により冷熱が土間や地盤に伝わらないようにする方式を採用することの他に、鉄筋コンクリートスラブ内に通気用パイプを配管し、この通気用パイプを介して冷凍冷蔵倉庫内から、地盤（地中）に逃げる冷熱を空中に放出させるようにしている。
【０００４】
また、特開平１０−１２１６３６　号公報によれば、図４、図５に示すように、従来の冷凍冷蔵倉庫の床構造における通気用パイプを、金属製デッキプレート４を平に均した地盤上に伏せて地盤１との間に形成される空間を通気孔６として利用することによって代替し、また、当該金属製デッキプレート４を鉄筋コンクリートにおける下鉄筋としての役割を負わせ、通気用パイプの配管および下側鉄筋の配筋を省略可能にした冷凍冷蔵倉庫の床構造が示されている。前記金属製デッキプレート４上に鉄筋８が配筋され、配筋後、コンクリートが打設され、金属製デッキプレート４上に鉄筋コンクリート層７が形成される。
【０００５】
金属製デッキプレート４と地盤１との間に形成される通気孔６の端部からは通気管１０を接続させて立ち上げる。鉄筋コンクリート層７上には、断熱材９が敷き込まれる。図中５は地中梁を示す。
【０００６】
このようにして、通気孔６内の通風を可能にし、冷凍冷蔵倉庫内から、地盤（地中）に逃げる冷熱を空中に放出する。通風は、たとえばブロワーなどの強制送風装置（図示しない）を上記通気管に接続することによって外気との通風をより積極的に行っても良い。
【０００７】
【発明が解決しようとする課題】
しかし、前記のごとく、断熱材で冷気の伝達を遮断したり、通気孔６内の通風を行なうだけでは、期待する凍上防止効果が得られない。また、凍結してしまった場合の従来のメンテナンスは、床下配管へ温水や温風を送り、解凍していて時間と手間がかかるものであった。
【０００８】
本発明の目的は前記従来例の不都合を解消し、確実に凍上防止を行うことができ、施工費やランニングコストも低廉ですみ、メンテナンスも容易な床下凍上防止方法を提供することにある。
【０００９】
【課題を解決するための手段】
本発明は前記目的を達成するため、第１に、穴明き管による床下送風配管を床下砕石層内に配設し、この送風配管に、冷凍室外機の排熱による温風と、外気を取り入れて建物の外壁・屋根と冷凍庫等の壁との間の空間に流した空気とを切り替え可能に送り込むこと、第２に、床下送風配管への送気管にファンを設け、該ファンの上流側に切替えダンパーを設けたこと、第３に、穴明き管による床下送風配管を設ける床下層は既存土間上部に設け、その上に断熱層を形成し、さらにその上に、土間コンクリートを打設することを要旨とするものである。
【００１０】
請求項１記載の本発明によれば、例えば、冬は冷凍室外機の排熱による温風を床下砕石層内に配設した床下送風配管に送り、この温風は床下送風配管の穴から流出して床下砕石層の砕石同士の隙間に流れ、床下砕石層全体を幅広く温める。その結果凍上防止を確実に行うことができる。また、例えば夏は、外気を建物の外壁と冷凍庫の壁との間の空間に取り入れて流すことで温め、この温めた空気を床下送風配管に送り、同様に凍上防止を確実に行うことができる。しかも、このように外気を建物の外壁と冷凍庫の壁との間の空間に取り入れて流すことで、換気と結露防止を行うことができる。
【００１１】
請求項２記載の本発明によれば、前記作用に加えて、夏・冬の切替ダンパーを設け、外気温度や湿度の状況により送風をなすことが可能である。また、凍結した場合のメンテナンスについては、ファンの吸込側へヒ　　ター等で温めた温風を送ることで簡単にメンテナンスができる。
【００１２】
請求項３記載の本発明によれば、既存躯体を利用して内部に冷凍庫・冷蔵庫を建設する場合に、既存土間を解体して地盤改良を行う手間を省き、コストダウンを図ることができる。
【００１３】
【発明の実施の形態】
以下、図面について本発明の実施の形態を詳細に説明する。図１は本発明の床下凍上防止方法の１実施形態を示す説明図、図２は床部分の詳細を示す断面図、図３は配管図で、前に建設した一般倉庫を冷凍食品・アイスクリームを取り扱う物流センターとして既存躯体を利用して内部に冷凍庫・冷蔵庫を建設する場合である。
【００１４】
図中１１は鉄骨造の建物であり、１階の平面は４区画に分かれており、−２５℃の冷凍庫１２、−１０℃の冷蔵庫１３ａ、＋５℃のピッキング冷蔵庫１３ｂ、＋５℃のプラットホーム冷蔵庫１３ｃを形成し、また、それ以外に事務所１４、倉庫１５を形成する。
【００１５】
冷凍設備は、屋外に設置する空冷一体型冷凍機としての冷凍室外機１６と屋内に設置する床置型または天井露出型ユニットクーラー（図示せず）とで構成する。
【００１６】
土壌１８の上の既存土間１７を解体し、地盤改良を行うことをせずに本発明は床下砕石層は既存土間１７の上部に床下砕石層１９を設け、その上に捨てコンクリート２０を配設し、その上にスタイロフォーム等による断熱層２１を設け、さらにその上に、土間コンクリート２２を打設し、この土間コンクリート２２の上に床打増コンクリ−ト２３を打設した。図中２４は断熱層２１の上下に介在させる防水シートである。
【００１７】
このような床構造を形成するのに、床下砕石層１９内に計２３本の床下送風配管２５を適宜ピッチで設置する。この床下送風配管２５の材質は、床下砕石層１９の周囲に効率良く送風させるために穴明きＶＰ管を採用する。
【００１８】
また、電力ランニングコストの低減と、施工性の簡略化のために、２３本の床下送風配管２５を３系統にまとめ、床下送風配管２５への送気管２７にファンを設けるファン２６も３台とする。
【００１９】
建物１１の外壁２９と屋根２８と冷凍庫１２と冷蔵庫１３ａ〜１３ｃの壁との間に空気通流空間３０を確保し、建物１１の下部の方でこの空気通流空間３０に通じるように給気口３１と排気口３２を形成し、給気口３１は外気取り入れとして外部に開口し、排気口３２は送気管２７を接続して、これを送気管２７のファン２６の上流側に接続する。
【００２０】
前記送気管２７は冷凍室外機１６の排熱をファン２６にて送風するものとして、冷凍室外機１６のコンプレッサ上方の集熱フ−ドにつながるダクトに接続する。
【００２１】
前記ファン２６の上流側に切替えダンパー３３を設けた。
【００２２】
さらに、既存土間１７下の土壌１８部分および床下砕石層１９の上部に凍上危険予知のために、温度センサー３４を埋設して設置した。この温度センサー３４の温度は、事務所１４内壁面に設置した温度表示盤（コントロールパネル）３５に表示し、日常的に監視できる様にした。
【００２３】
このようにして床下送風配管２５への給気には、冬期には冷凍室外機１６の排熱をファン２６にて送風する。
【００２４】
また、夏期には給気口３１から取り入れた外気を建物１１の外壁２９と屋根２８と冷凍庫１２と冷蔵庫１３ａ，１３ｂ，１３ｃの壁との間に空気通流空間３０に流し、外壁２９等と冷凍庫１２と冷蔵庫１３ａ，１３ｂ，１３ｃの壁パネル間の空間で暖められる空気を排気口３２から取り出して床下送風配管２５へ給気する。
【００２５】
夏・冬の切替ダンパー３３はこのような床下送風配管２５への給気で冬期と夏期とを切替えるものであり、かかる切替ダンパー３３での切替えはこのような冬期と夏期という季節の切り替えのみならず、外気温度や湿度の状況により適宜行うことも可能である。
【００２６】
このようにして、冷凍室外機１６の排熱温度３０℃、周囲の外気温度６℃とすれば、既存土間１７下の土壌１８部分及び床下砕石層１９の上部の温度センサー３４で計測する床下及び外気温度は、床下温度１は１６℃〜２０℃、床下温度２は１８℃〜２１℃、外気温度は−３℃〜１０℃であるが、凍上は確実に防止できる。
【００２７】
【発明の効果】
以上述べたように本発明の床下凍上防止方法は、冷凍室外機の排熱による温風と建物の外壁と冷凍庫の壁との間で温めた外気を適宜切替え可能に、床下砕石層内に配設した床下送風配管に送り、この温風を床下砕石層の砕石同士の隙間に流すことで、凍上防止を確実に行うことができ、また、換気と結露防止も同時に行うことができ、しかも、施工費やランニングコストも低廉ですみ、メンテナンスも容易なものである。
【図面の簡単な説明】
【図１】本発明の床下凍上防止方法の１実施形態を示す説明図である。
【図２】本発明の床下凍上防止方法の１実施形態で、床部分の詳細を示す断面図である。
【図３】本発明の床下凍上防止方法の１実施形態を示す配管図である。
【図４】従来例を示す全体の縦断側面図である。
【図５】従来例を示す要部の縦断正面図である。
【符号の説明】
１…地盤　　　　　　　　　　　４…金属製デッキプレート
６…通気孔　　　　　　　　　　５…地中梁
７…鉄筋コンクリート層
８…鉄筋　　　　　　　　　　　９…断熱材
１０…通気管　　　　　　　　　　１１…建物
１２…冷凍庫　　　　　　　　　　　　　　　　１３ａ，１３ｂ，１３ｃ…冷蔵庫
１４…事務所　　　　　　　　　　　　　１５…倉庫
１６…冷凍室外機　　　　　　　　１７…既存土間
１８…土壌　　　　　　　　　　　１９…床下砕石層
２０…捨てコンクリート　　　　　２１…断熱層
２２…土間コンクリート　　　　　２３…床打増コンクリ−ト
２４…防水シート　　　　　　　　　　　　　　　　２５…床下送風配管
２６…ファン　　　　　　　　　　　　　　　　　　２７，２７ａ…送気管
２８…屋根　　　　　　　　　　　　　　　　　　　　　　２９…外壁
３０…空気通流空間　　　　　　　３１…給気口
３２…排気口　　　　　　　　　　３３…切替えダンパー
３４…温度センサー　　　　　　　３５…温度表示盤
【図１】
2004069098.tif 000003
【図２】
2004069098.tif 000004
【図３】
2004069098.tif 000005
【図４】
2004069098.tif 000006
【図５】
2004069098.tif 000007